(57)【特許請求の範囲】
【請求項１】
所定の磁界を発生する、アラーム音を出力するためのアラーム音駆動部と、
磁気的な作用により指針駆動部を駆動する時計駆動部と、
シールド板と、
上記アラーム音駆動部を、当該アラーム音駆動部の少なくとも一部が上記時計駆動部に近接するように収容可能で、上記時計駆動部と収容されるアラーム音駆動部の上記時計駆動部と対向する部分との間に上記シールド板を収容可能な収容空間を有する収容部と、
上記収容部に収容された上記アラーム音駆動部の一部に係止して、当該アラーム音駆動部を所定の位置に保持させる係止片とを有し、
上記係止片には、上記収容部の収容空間と連通して当該収容空間の一部をなし、収容されるシールド板を所定位置に保持可能な連通空間部が形成されている
目覚まし時計。
【請求項２】
上記アラーム音駆動部、シールド板、時計駆動部、収容部、係止片に加えて回路基板が一つの受板に集約されて設けられており、
上記受板の各部取り付け面上部において、シールド板の下に上記回路基板が配置されている
請求項１記載の目覚まし時計。
【発明の詳細な説明】
【０００１】
【発明の属する技術分野】
本発明は、たとえばモータの駆動力により鈴を打たせて、あるいは電子音をスピーカにより発音させてアラーム音を出力する目覚まし時計に関するものである。
【０００２】
【従来の技術】
一般に、目覚まし時計には、たとえばモータの駆動力により鈴を打たせてアラーム音を発するアラーム機能、あるいは電子音をスピーカにより発音させてアラーム音を出力するアラーム機能を備えたものが知られている。
【０００３】
そして、このような目覚まし時計において、アラーム機能を一つの受板にコンパクトにまとめて取り付けたムーブメントがある。
【０００４】
たとえば、モータの駆動力により鈴を打たせてアラーム音を発するアラーム機能を備えた目覚まし時計では、いわゆる時計駆動部、鈴、ＤＣモータ、回路基板、および電池ボックスが一つの受板に取り付けられている。
【０００５】
また、電子音をスピーカにより発音させてアラーム音を出力するアラーム機能を備えた目覚まし時計では、時計駆動部、スピーカ、ＤＣモータ、回路基板、および電池ボックスが一つの受板に取り付けられている。
【０００６】
【発明が解決しようとする課題】
ところで、近年、この種の目覚まし時計では、性能向上の必要性から、時計の小型化、駆動電流の低消費電力化が必要になっている。
【０００７】
ところが、低消費電力化により、指針駆動用モータのロータを含む時計駆動部は、外部の磁界の影響を受けやすくなっている。
したがって、上述したように、アラーム機能を一つの受板にコンパクトに取り付けたムーブメントを有する目覚まし時計では、時計体の小型化により、アラーム機能用のＤＣモータやスピーカの漏洩磁束による誤動作を招く可能性がある。
【０００８】
本発明は、かかる事情に鑑みてなされたものであり、その目的は、低消費電力化を図っても、誤動作の発生を抑止しつつ小型化を図れる目覚まし時計を提供することにある。
【０００９】
【課題を解決するための手段】
上記目的を達成するため、本発明の目覚まし時計は、所定の磁界を発生する、アラーム音を出力するためのアラーム音駆動部と、磁気的な作用により指針駆動部を駆動する時計駆動部と、シールド板と、上記アラーム音駆動部を、当該アラーム音駆動部の少なくとも一部が上記時計駆動部に近接するように収容可能で、上記時計駆動部と収容されるアラーム音駆動部の上記時計駆動部と対向する部分との間に上記シールド板を収容可能な収容空間を有する収容部と、上記収容部に収容された上記アラーム音駆動部の一部に係止して、当該アラーム音駆動部を所定の位置に保持させる係止片とを有し、上記係止片には、上記収容部の収容空間と連通して当該収容空間の一部をなし、収容されるシールド板を所定位置に保持可能な連通空間部が形成されている。
【００１０】
また、本発明では、上記アラーム音駆動部、シールド板、時計駆動部、収容部、係止片に加えて回路基板が一つの受板に集約されて設けられており、上記受板の各部取り付け面上部において、シールド板の下に上記回路基板が配置されている。
【００１１】
本発明によれば、収容部にシールド板およびアラーム音駆動部を収容させるには、まず、シールド板を、収容部の収容空間に挿入する。
続いて、係止片に形成された連通空間部にシールド板の一部を入り込ませ、所定の位置に保持させる。
そして、アラーム音駆動部を収容部に収容する。このとき、係止片がアラーム音駆動部の一部に係止する。これにより、アラーム音駆動部は、抜け等が防止されて安定な状態に保持される。
また、組み立て後のシールド板は、係止片の連通空間部の内側面とアラーム音駆動部の外側面とで挟持された形で所定の位置に安定に保持される。
【００１２】
また、回路基板をシールド板の下に位置するように配置することにより、回路基板の抜けが防止される。
【００１３】
【発明の実施の形態】
図１は、本発明に係る目覚まし時計のムーブメント部の一実施形態を示す平面図である。
【００１４】
本実施形態に係る目覚まし時計のムーブメント部１０は、一つの受板１１に、時計駆動部２０、アラーム機能部３０、および電池ボックス４０が並列的に配置されている。
具体的には、受板１１の中央部に時計駆動部２０が配置され、時計駆動部２０の図１中左側（下側）にアラーム機能部３０が隣接して配置され、時計駆動部２０の図１中右側（上側）に電池ボックス４０が配置されている。
【００１５】
時計駆動部２０は、たとえば分針および時針の２針時計の場合は、ケース体２０１内に、図示しない駆動モータと、分針車、時針車、駆動モータの回転速度を所定の速度まで減速して分針車に伝達する中間車、および分針パイプの回転速度を所定の速度まで減速して時針車を回転させる日の裏車を含む輪列と、回路基板とを有している。
そして、本実施形態においては、図２に示すように、駆動モータのロータ２０２がアラーム機能部３０に近接する形態で配置されている。
【００１６】
図３は、本発明に係るアラーム機能部３０の要部の簡略断面図、図４は、アラーム機能部３０の収容部を説明するための図である。
図１および図３に示すように、アラーム機能部３０は、アラーム音駆動部としてのＤＣモータ３０１、ＤＣモータ用収容部３０２、係止片３０３、鈴３０４、打鈴部３０５、およびシールド板３０６を有している。
【００１７】
ＤＣモータ３０１は、図３および図４に示すように、円筒状をなし、上部側の径を小さくした上段部３０１ａと下段部３０１ｂとからなる２段形状に構成され、上段部３０１ａの上面部から回転軸３０１ｃが突出している。
また、下段部３０１ｂの下面側から時計駆動部２０の図示しない回路基板に接続されるリード線ＬＤＬが配線されている。
そして、ＤＣモータ３０１は、図４（Ｂ）に示すように、収容部３０２に収容された状態で、上段部３０１ａと下段部３０１ｂとの段差面３０１ｄに係止片３０３の係止爪３０３ａが係止される。
【００１８】
収容部３０２は、ＤＣモータ３０１の一部が時計駆動部２０に近接するように収容可能で、時計駆動部２０と収容されるＤＣモータ３０１の時計駆動部２０の側部と対向する部分との間にシールド板３０６を収容可能な円筒状の収容空間３０２ａを有する。
収容空間３０２ａの高さ（深さ）は、時計駆動部２０の厚さと略同じか、若干高めとなるように形成される。
そして、収容部３０２の底面部には、ＤＣモータ３０１のリード線ＬＤＬを収容空間３０２ａの外部に逃がすための開口部３０２ｂが形成されている。
【００１９】
係止片３０３は、実際には図１および図４（Ａ）に示すように、収容部３０２の外周部に３箇所設けられている。
具体的には、時計駆動部２０の側部近傍に第１の係止片３０３１が設けられ、この第１の係止片３０３１に対して１２０度回転させた位置に第２および第３の係止片３０３２，３０３３が設けられている。
これら係止片３０３１，３０３２，３０３３は、弾性を有し、その上部には、図４（Ｂ）に示すように、収容部３０２に収容されたＤＣモータ３０１の上段部３０１ａと下段部３０１ｂとの段差面３０１ｄに係止して、ＤＣモータ３０１の抜け等を防止して安定な状態に保持するための係止爪３０３ａが形成されている。
したがって、ＤＣモータ３０１が収容部３０２に収容されるときには、各係止片３０３１，３０３２，３０３３は円筒状の収容空間の半径方向に広げられ、ＤＣモータ３０１が収容部３０２の所定の位置に収容されると、弾性により元の位置に復帰して、係止爪３０３ａがＤＣモータ３０１の段差面３０１ｄに係止する。
【００２０】
そして、第１の係止片３０３１の時計駆動部２０の厚さより低い部分には、収容部３０２の収容空間３０２ａと連通して当該収容空間３０２ａの一部をなし、収容されるシールド板３０６を所定位置に保持可能な連通空間部（凹部）３０３ｂが形成されている。
この連通空間部３０３ｂの幅（深さ）は、シールド板３０６の厚さと略同じか、若干大きく形成される。
したがって、組み立て後のシールド板３０６は、第１の係止片３０３１の連通空間部３０３ｂの内側面とＤＣモータ３０１の外側面とで挟持された形で所定の位置に安定に保持される。
【００２１】
鈴３０４は、たとえばすり鉢状に形成され、その中央部がネジにより固定されている。
なお、このとき、図１および図３に示すように、上部外側面の一部が収容部３０２の上部に位置するように固定される。
【００２２】
打鈴部３０５は、図３に示すように、中央部がＤＣモータ３０１の回転軸３０１ｃに固定された長板部３０５ａと、長板部３０５ａの両端部に形成された取り付け軸３０５ｂ，３０５ｃと、これら取り付け軸３０５ｂ，３０５ｃに回転可能に取り付けられた金属製で円板状をなす打鈴体３０５ｄ，３０５ｅにより構成されている。
この打鈴部３０５は、アラームセット時刻になってＤＣモータ３０１が駆動され、回転軸３０１ｃが回転すると、長板部３０５ａが回転し、これにより打鈴体３０５ｄ，３０５ｅが１８０度の位相差をもって鈴３０４を打つ。
【００２３】
シールド板３０６は、円弧状をなし、上述したように、係止片３０３１の連通空間３０３ｂと収容部３０２の収容空間３０２ａに収容されて、ＤＣモータ３０１の駆動時に発生する漏洩磁束および非駆動時にＤＣモータ３０１の永久磁石からの漏洩磁束が、時計駆動部２０に伝達されないように遮蔽する。
【００２４】
電池ボックス４０には、たとえば単２電池が１個セットされる。
すなわち、本実施形態に係る目覚まし時計の駆動電力は１．５Ｖである。
【００２５】
このような構成において、収容部３０２にシールド板３０６およびＤＣモータ３０１を収容させるには、まず、円弧状のシールド板３０６を、収容部３０２の収容空間３０２ａに挿入する。
続いて、第１の係止片３０３１に形成された連通空間部３０３ｂにシールド板３０６の一部を入り込ませ、所定の位置に保持させる。
そして、ＤＣモータ３０１を収容部３０２に収容する。このとき、各係止片３０３１，３０３２，３０３３は円筒状の収容空間の半径方向に広げられ、ＤＣモータ３０１が収容部３０２の所定の位置に収容されると、各係止片３０３１，３０３２，３０３３は、弾性により元の位置に復帰して係止爪３０３ａがＤＣモータ３０１の段差面３０１ｄに係止する。
これにより、ＤＣモータ３０１は、抜け等が防止されて安定な状態に保持される。
また、組み立て後のシールド板３０６は、第１の係止片３０３１の連通空間部３０３ｂの内側面とＤＣモータ３０１の外側面とで挟持された形で所定の位置に安定に保持される。
【００２６】
以上説明したように、本実施形態によれば、アラーム機能用ＤＣモータ３０１と、磁気的な作用により指針駆動部を駆動する時計駆動部２０と、シールド板３０６と、ＤＣモータ３０１の一部が時計駆動部２０に近接するように収容可能で、時計駆動部２０と収容されるＤＣモータ３０１の時計駆動部２０の側部と対向する部分との間にシールド板３０６を収容可能な円筒状の収容空間３０２ａを有する収容部３０２と、弾性を有し、その上部には、収容部３０２に収容されたＤＣモータ３０１の上段部３０１ａと下段部３０１ｂとの段差面３０１ｄに係止して、ＤＣモータ３０１の抜け等を防止して安定な状態に保持するための係止爪３０３ａが形成されている係止片３０３１，３０３２，３０３３とを有し、係止片３０３１には、収容部３０２の収容空間３０２ａと連通して当該収容空間の一部をなし、収容されるシールド板３０６を所定位置に保持可能な連通空間部３０３ｂが形成されているので、時計駆動部２０とＤＣモータ３０１との距離を近づけることが可能となる。
その結果、低消費電力化を図っても、誤動作の発生を抑止しつつ小型化を図れる利点がある。
【００２７】
なお、本実施形態では、モータの駆動力により鈴を打たせてアラーム音を発するアラーム機能を備えた目覚まし時計を例に説明したが、本発明はこれに限定されるものではなく、電子音をスピーカにより発音させてアラーム音を出力するアラーム機能を備えた目覚まし時計にも適用可能であることは言うまでもない。
この場合、ＤＣモータの代わりにスピーカが収容部に収容されて、係止片に形成された連通空間部にシールド板の一部を収容させて係止片の内側面とスピーカの外側面との間でシールド板を挟持し、安定に保持できるように構成される。
【００２８】
なお、回路基板をシールド板３０６の下に位置するように配置することにより、シールド板を回路基板の抜け防止具としても用いることができる。
特に、重量のあるＤＣモーターやスピーカが回路基板に直に取り付けられている場合は、回路基板をシールド板で受けることができることから、振動や落下等の影響を低減することができる。
【００２９】
【発明の効果】
以上説明したように、本発明によれば、低消費電力化を図れ、しかも誤動作の発生を抑止しつつ小型化を図れる利点がある。
【図面の簡単な説明】
【図１】本発明に係る目覚まし時計のムーブメント部の一実施形態を示す平面図である。
【図２】図１の時計駆動部における駆動モータ用ロータの配置位置を説明するための図である。
【図３】本発明に係るアラーム機能部の要部の簡略断面図である。
【図４】本発明に係るアラーム機能部の収容部を説明するための図である。
【符号の説明】
１０…ムーブメント部
１１…受板
２０…時計駆動部
２０２…ロータ
３０…アラーム機能部
３０１…ＤＣモータ
３０２…収容部
３０２ａ…収容空間
３０３（３０３１〜３０３３）…係止片
３０３ａ…係止爪
３０３ｂ…連通空間部
３０４…鈴
３０５…打鈴部
３０５ａ…長板
３０５ｄ，３０５ｅ…打鈴体
３０６…シールド板
４０…電池ボックス
【図１】
0003556568.tif 000002
【図２】
0003556568.tif 000003
【図３】
0003556568.tif 000004
【図４】
0003556568.tif 000005